(57)【要約】【課題】表示部の一部に表示不良が発生した場合であっても、画面の視認を容易化することができる携帯端末を提供する。【解決手段】携帯端末１では、表示部２０に表示不能領域２１が生じた場合に、表示不能領域２１を除く表示可能領域２２に描画可能な矩形領域の最大面積に基づいて画像表示の切り替えが行われる。より具体的には、携帯端末１では、矩形領域の最大面積が一定以上確保された場合には、画像を矩形領域内に縮小表示することにより、画像を一度に視認できる利便性が維持され、矩形領域の最大面積が一定未満しか確保されない場合には、表示可能領域２２内で画像をスライド可能に等倍表示することにより、当面の視認性が確保される。このような処理により、携帯端末１では、表示部２０の一部に表示不良が発生した場合であっても、画面の視認を容易化することができる。【選択図】図１
2011033720.tif 000002
【特許請求の範囲】
【請求項１】
表示手段に表示する画像を制御する画像制御手段を備えた携帯端末であって、
前記表示手段に表示不能領域が生じたことを検出する表示不能領域検出手段と、
前記表示不能領域検出手段によって検出された前記表示不能領域の位置及び大きさを判断する表示不能領域判断手段と、
前記表示不能領域判断手段によって判断された前記表示不能領域の位置及び大きさに基づいて、前記表示不能領域を除く表示可能領域に描画可能な矩形領域の面積を判断する矩形領域判断手段と、を備え、
前記画像制御手段は、前記矩形領域判断手段によって判断された前記矩形領域の最大面積が予め設定された所定面積以上であった場合には、前記表示手段に表示する画像を前記矩形領域内に縮小表示し、前記矩形領域判断手段によって判断された前記矩形領域の最大面積が予め設定された所定面積未満であった場合には、前記表示手段に表示する画像を前記表示可能領域内でスライド可能に等倍表示することを特徴とする携帯端末。
【請求項２】
前記表示手段の全表示領域は矩形状をなしており、
前記矩形領域判断手段は、前記全表示領域の少なくとも一つの隅部を含む前記矩形領域の面積を判断することを特徴とする請求項１記載の携帯端末。
【請求項３】
前記表示不能領域検出手段によって前記表示手段に表示不能領域が生じたことが検出されたときに、前記表示不能領域を除く表示可能領域に描画する前記矩形領域の位置及び大きさの入力を受け付ける矩形領域入力受付手段を更に備え、
前記矩形領域判断手段は、前記矩形領域入力受付手段に入力された前記矩形領域の面積を判断することを特徴とする請求項１記載の携帯端末。
【発明の詳細な説明】
【技術分野】
【０００１】
本発明は、携帯端末に関する。
【背景技術】
【０００２】
携帯電話機などの携帯端末には、例えば液晶パネルディスプレイといった表示部が設けられている。表示部には、各種の機能アイコンが表示されたメニュー画面や、着信を待ち受ける待受画面、インターネットを閲覧するブラウザ画面などが表示される。このような表示部を制御する技術としては、例えば特許文献１に記載の表示装置がある。この従来の表示装置では、表示部上部に設定された特定表示箇所を選択することにより、特定表示箇所に関連付けされた設定項目が表示されるように画面の切り替えが行われる。
【先行技術文献】
【特許文献】
【０００３】
【特許文献１】特開２００２−１５６９５８号公報
【発明の概要】
【発明が解決しようとする課題】
【０００４】
ところで、例えば携帯端末に強い衝撃が加わったとき等に、表示部の一部に表示不良が発生する場合がある。この場合、表示不良が発生した領域では画面が表示されないので、ユーザが操作を行うことが難しくなる。これに対し、画面の表示倍率を変更することにより、表示不良が発生していない領域に画面表示を行うことも考えられる。しかしながら、表示不良の領域の大きさ・形状によっては画面の視認が困難になる場合も考えられる。
【０００５】
本発明は、上記課題の解決のためになされたものであり、表示部の一部に表示不良が発生した場合であっても、画面の視認を容易化することができる携帯端末を提供することを目的とする。
【課題を解決するための手段】
【０００６】
上記課題の解決のため、本発明に係る携帯端末は、表示手段に表示する画像を制御する画像制御手段を備えた携帯端末であって、表示手段に表示不能領域が生じたことを検出する表示不能領域検出手段と、表示不能領域検出手段によって検出された表示不能領域の位置及び大きさを判断する表示不能領域判断手段と、表示不能領域判断手段によって判断された表示不能領域の位置及び大きさに基づいて、表示不能領域を除く表示可能領域に描画可能な矩形領域の面積を判断する矩形領域判断手段と、を備え、画像制御手段は、矩形領域判断手段によって判断された矩形領域の最大面積が予め設定された所定面積以上であった場合には、表示手段に表示する画像を矩形領域内に縮小表示し、矩形領域判断手段によって判断された矩形領域の最大面積が予め設定された所定面積未満であった場合には、表示手段に表示する画像を表示可能領域内でスライド可能に等倍表示することを特徴としている。
【０００７】
この携帯端末では、表示手段に表示不能領域が生じた場合に、表示不能領域を除く表示可能領域に描画可能な矩形領域の面積を判断し、その最大面積が一定以上確保されるか否かによって画像表示の切り替えが行われる。より具体的には、矩形領域の最大面積が一定以上確保された場合に、画像を矩形領域内に縮小表示することにより、画像を一度に視認できる利便性が維持され、矩形領域の最大面積が一定未満しか確保されない場合に、表示可能領域内で画像をスライド可能に等倍表示することにより、当面の視認性が確保される。このような処理により、この携帯端末では、表示部の一部に表示不良が発生した場合であっても、画面の視認を容易化することができる。
【０００８】
また、表示手段の全表示領域は矩形状をなしており、矩形領域判断手段は、全表示領域の少なくとも一つの隅部を含む矩形領域の面積を判断することが好ましい。この場合、簡単な処理で矩形領域を描画できるので、画像の表示の切り替えを迅速に実行できる。
【０００９】
また、表示不能領域検出手段によって表示手段に表示不能領域が生じたことが検出されたときに、表示不能領域を除く表示可能領域に描画する矩形領域の位置及び大きさの入力を受け付ける矩形領域入力受付手段を更に備え、矩形領域判断手段は、矩形領域入力受付手段に入力された矩形領域の面積を判断することが好ましい。この場合、画像の表示位置をユーザ側で決定できるので、画面の視認性を一層担保できる。
【発明の効果】
【００１０】
本発明に係る携帯端末よれば、表示部の一部に表示不良が発生した場合であっても、画面の視認を容易化することができる。
【図面の簡単な説明】
【００１１】
【図１】本発明の第１実施形態に係る携帯端末の機能的な構成要素を示すブロック図である。
【図２】表示部に表示される画像の一例を示す図である。
【図３】表示部に生じた表示不能領域の一例を示す図である。
【図４】表示可能領域に描画される矩形領域の一例を示す図である。
【図５】矩形領域の最大面積が予め設定された所定面積以上である場合の画像表示の一例を示す図である。
【図６】矩形領域の最大面積が予め設定された所定面積未満である場合の画像表示の一例を示す図である。
【図７】図１に示した携帯端末の動作を示すフローチャートである。
【図８】本発明の第２実施形態に係る携帯端末の機能的な構成要素を示すブロック図である。
【図９】ユーザの操作によって入力された矩形領域の一例を示す図である。
【発明を実施するための形態】
【００１２】
以下、図面を参照しながら、本発明に係る携帯端末の好適な実施形態について詳細に説明する。
【００１３】
［第１実施形態］
図１は、本発明の第１実施形態に係る携帯端末の機能的な構成要素を示すブロック図である。図１に示す携帯端末１は、物理的には、ＣＰＵ、メモリ、通信インタフェイス、ハードディスク等の格納部、テンキー・十字キーなどの操作部１０、及び液晶パネルディスプレイなどの表示部２０等を備えた携帯電話機である。表示部２０の全表示領域は、例えば図２に示すように縦長の矩形状をなしており、各種の機能アイコンが表示されたメニュー画面などが表示される。
【００１４】
携帯端末１は、機能的な構成要素として、表示不能領域検出センサ１０１と、表示不能領域判断部１０２と、矩形領域判断部１０３と、画像制御部１０４とを備えており、表示部２０に表示不良が生じた場合に、表示不良の程度に応じて画像の表示を切り替える機能を有している。以下、各構成要素について説明する。
【００１５】
表示不能領域検出センサ１０１は、表示部２０に表示不能領域が生じたことを検出する部分である。表示不能領域検出センサ１０１は、例えば表示部２０に液晶パネルディスプレイが適用されている場合には、ドットを構成する各素子に対応してマトリクス状に設けられる。表示不能領域検出センサ１０１は、表示部２０に表示不能領域が生じたことを検出すると、その検出信号を表示不能領域判断部１０２に出力する。
【００１６】
表示不能領域判断部１０２は、表示不能領域検出センサ１０１によって検出された検出信号に基づいて、表示不能領域の位置及び大きさを判断する部分である。図３は、表示部に生じた表示不能領域の一例を示す図である。同図に示す例では、表示部２０の上部に表示不能領域２１が生じている。表示部２０の全表示領域のうち、表示不能領域２１を除いた表示可能領域２２には、上側部分が欠けた状態でメニュー画面（図２参照）が表示されている。表示不能領域判断部１０２は、表示不能領域の位置及び大きさの判断結果を示す判断結果情報を生成し、矩形領域判断部１０３に出力する。
【００１７】
矩形領域判断部１０３は、表示不能領域判断部１０２の判断結果に基づいて、表示不能領域を除く表示可能領域に描画可能な矩形領域の面積を判断する部分である。より具体的には、矩形領域判断部１０３は、表示部２０の全表示領域の少なくとも一つの隅部を含む矩形領域を描画し、その最大面積が予め設定された所定面積以上であるか否かを判断する。矩形領域判断部１０３は、矩形領域の最大面積についての判断結果を示す判断結果情報を生成し、画像制御部１０４に出力する。なお、所定面積は例えば表示部２０の全表示領域の５０％に設定される。
【００１８】
例えば図３に示した表示不能領域２１が存在する場合、矩形領域判断部１０３は、図４（ａ）に示すように、表示不能領域を除く表示可能領域に描画可能な最大面積の矩形領域として、表示不能領域２１と重ならない左下側の隅部２０ａ及び右下側の隅部２０ｂを含む矩形領域２３を描画する。この場合、矩形領域２３の面積は、表示部２０の全表示領域の５０％以上となっている。
【００１９】
一方、図４（ｂ）に示すように、図３に示した表示不能領域２１よりも更に大きな表示不能領域２１が存在する場合、矩形領域判断部１０３は、表示不能領域を除く表示可能領域に描画可能な最大面積の矩形領域として、表示不能領域２１と重ならない右下側の隅部２０ｂを含む矩形領域２４を描画する。この場合、矩形領域２４の面積は、表示部２０の全表示領域の５０％未満となっている。
【００２０】
画像制御部１０４は、表示部２０に表示する画像を制御する部分である。画像制御部１０４は、通常、表示部２０の全表示領域において画像の表示を行うが（図２参照）、矩形領域判断部１０３から判断結果情報を受け取った場合には、この判断結果情報に基づいて画像表示の切り替えを行う。
【００２１】
より具体的には、画像制御部１０４は、矩形領域の最大面積が予め設定された所定面積以上である旨の判断結果情報を受け取った場合には、図５に示すように、表示部２０に表示する画像を矩形領域２３内に縮小表示する。また、画像制御部１０４は、矩形領域の最大面積が予め設定された所定面積未満であった場合には、図６に示すように、表示部２０に表示する画像を表示可能領域２２内でスライド可能に等倍表示する。画像のスライドは、ユーザによる操作部１０の操作によって適宜実行される。
【００２２】
続いて、上述した携帯端末１の動作について、図７に示すフローチャートを参照しながら説明する。
【００２３】
図７に示すように、携帯端末１では、まず、表示不能領域の検出がなされる（ステップＳ０１）。表示不能領域の検出がなされると、次に、表示不能領域の位置及び大きさの判断がなされる（ステップＳ０２）。そして、ステップＳ０２で判断された表示不能領域の位置及び大きさに基づいて、表示不能領域を除く表示可能領域に描画可能な矩形領域の面積が判断される（ステップＳ０３）。
【００２４】
ここで、ステップＳ０３で描画された矩形領域の最大面積が所定面積以上であるか否かが判断される（ステップＳ０４）。矩形領域の最大面積が所定面積以上である場合には、矩形領域内に画像を縮小表示する（ステップＳ０５）。一方、矩形領域の最大面積が所定面積未満である場合には、表示可能領域に画像をスライド可能に等倍表示する（ステップＳ０６）。
【００２５】
以上説明したように、携帯端末１では、表示部２０に表示不能領域２１が生じた場合に、表示不能領域２１を除く表示可能領域２２に描画可能な矩形領域の面積を判断し、その最大面積が一定以上確保されるか否かによって画像表示の切り替えが行われる。
【００２６】
より具体的には、携帯端末１では、矩形領域の最大面積が一定以上確保された場合には、画像を矩形領域内に縮小表示することにより、画像を一度に視認できる利便性が維持され、矩形領域の最大面積が一定未満しか確保されない場合には、表示可能領域２２内で画像をスライド可能に等倍表示することにより、当面の視認性が確保される。このような処理により、携帯端末１では、表示部２０の一部に表示不良が発生した場合であっても、画面の視認を容易化することができる。
【００２７】
また、携帯端末１では、表示部２０の全表示領域が矩形状をなしており、矩形領域判断部１０３は、全表示領域の少なくとも一つの隅部を含む矩形領域の面積を判断している。これにより、簡単な処理で矩形領域２３，２４を描画できるので、画像の表示の切り替えを迅速に実行できる。
【００２８】
［第２実施形態］
図８は、本発明の第２実施形態に係る携帯端末の機能的な構成要素を示すブロック図である。図８に示すように、第２実施形態に係る携帯端末２は、表示不能領域が検出された際に、表示不能領域を除く表示可能領域に描画可能な矩形領域の入力をユーザの操作によって受け付ける点で、矩形領域の描画を矩形領域判断部１０３で自動的に行う第１実施形態と異なっている。他の点については、第１実施形態と同様である。
【００２９】
携帯端末１では、更なる機能的な構成要素として、矩形領域入力受付部１０５を備えている。矩形領域入力受付部１０５は、表示不能領域検出センサ１０１によって表示部２０に表示不能領域が生じたことが検出されたときに、操作の入力を受け付ける受付状態となる。矩形領域入力受付部１０５は、ユーザが操作部１０の操作によって入力した矩形領域を示す情報を矩形領域判断部１０３に出力する。
【００３０】
図９は、ユーザによって入力された矩形領域の一例を示す図である。同図に示す例では、矩形領域２５は、表示部２０のいずれの隅部も含まない状態で表示可能領域の略中央部分に描画されている。矩形領域判断部１０３は、この入力された矩形領域２５の面積が、予め設定された所定面積以上であるか否かを判断し、判断結果情報を画像制御部１０４に出力する。
【００３１】
このような携帯端末２においても、第１実施形態と同様に、矩形領域２５の最大面積が一定以上確保された場合に、画像を矩形領域２５内に縮小表示することにより、画像を一度に視認できる利便性が維持され、矩形領域２５の最大面積が一定未満しか確保されない場合に、表示可能領域２２内で画像をスライド可能に等倍表示することにより、当面の視認性が確保される。このような処理により、携帯端末２では、表示部２０の一部に表示不良が発生した場合であっても、画面の視認を容易化することができる。
【００３２】
また、携帯端末２では、表示不能領域検出センサ１０１によって表示部２０に表示不能領域２１が生じたことが検出されたときに、表示不能領域２１を除く表示可能領域２２に描画する矩形領域２５の位置及び大きさの入力を受け付け、矩形領域判断部１０３において、入力された矩形領域２５の面積を判断している。これにより、画像の表示位置をユーザ側で決定できるので、画面の視認性を一層担保できる。
【符号の説明】
【００３３】
１，２…携帯端末、２０…表示部、２０ａ，２０ｂ…隅部、２１…表示不能領域、２２…表示可能領域、２３，２４，２５…矩形領域、１０１…表示不能領域検出センサ、１０２…表示不能領域判断部、１０３…矩形領域判断部、１０４…画像制御部、１０５…矩形領域入力受付部。
【図１】
2011033720.tif 000003
【図２】
2011033720.tif 000004
【図３】
2011033720.tif 000005
【図４】
2011033720.tif 000006
【図５】
2011033720.tif 000007
【図６】
2011033720.tif 000008
【図７】
2011033720.tif 000009
【図８】
2011033720.tif 000010
【図９】
2011033720.tif 000011